(57)【要約】【課題】飲料水自動販売機の飲料水缶投入口へ、この投入具で数本から１箱、また、缶の太さ、缶の高さの違う飲料水缶やペットボトルを自動販売機の飲料水缶やペットボトルの投入口へ連続して投入すると時間の短縮と労力を軽減することができる飲料水缶やペットボトルの自動販売機への投入具を提供する。【解決手段】飲料水缶やペットボトルを図１投入具に入れて後方を持ち上げると缶やペットボトルが転げて、長方形の前缶止板で止まる。この投入具を自動販売機の飲料水缶やペットボトル投入口に乗せ掛けて，この長方形の前缶止板を前回転板の回転板回しボルトを回転して外すと缶の重さで缶止板が前方に倒れて，飲料水缶やペットボトルが転げ落ちるようにした自動販売機の缶投入口への投入具である。【選択図】図１
2012203749.tif 000002
【特許請求の範囲】
【請求項１】
飲料水缶の箱の上蓋をあけて挿入できる断面が長方形の筒状の箱が先端部で飲料水缶が一列で通るように小さく、飲料水缶やペットボトルを止める長方形の前後に動く缶止板が底板の表面についている飲料水缶やペットボトルの自動販売機の飲料水缶やペットボトルの投入口に飲料水缶やペットボトルを投入する投入具。
【請求項２】
飲料水缶の箱の上蓋をあけて挿入できる断面が長方形の筒状の箱が先端部で飲料水缶が一列で通るように小さく、飲料水缶やペットボトルを止める底板の表面に前後に動くようについている先端部より１番目の缶止板と２番目の缶止板を底板の裏面に後端部から先端部まで繋がった回転板回しボルトに長方形の先端部より1番目の回転板と先端部より２番目の回転板を９０度の角度の違いにつけて、底板に回転板の幅の穴をあけ、1番目の回転板と先端部より２番目の回転板で先端部より１番目の缶止板と２番目の缶止板を動かすようにした飲料水缶やペットボトルの自動販売機の飲料水缶やペットボトルの投入口に飲料水缶やペットボトルを投入する投入具。
【請求項３】
飲料水缶の箱の上蓋をあけて挿入できる断面が長方形の筒状の箱が先端部で飲料水缶が一列で通るように小さく、飲料水缶やペットボトルを止める底板の表面に前後に動くようについている先端部の缶止板と缶引き上げ板の厚さだけ自動販売機の缶投入口の乗せ掛け板の上に乗せ掛けても底板の表面が平らになるように自動販売機の缶投入口の乗せ掛け板が下になるよう下げた自動販売機の飲料水缶やペットボトルの投入口に飲料水缶やペットボトルを投入する投入具。
【請求項４】
飲料水缶の箱の上蓋をあけて挿入できる断面が長方形の筒状の箱の側板の長さで側板の形の箱中缶仕切板を飲料水缶の箱の上蓋をあけて挿入できる断面が長方形の筒状の箱の中につけ、箱中缶仕切板が投入具の側板に対して、横に移動する溝や導管の移動棒を底板の表面や天板の表面につけ、箱中缶仕切板の位置を調節する留具を付けた飲料水缶やペットボトルの自動販売機の飲料水缶やペットボトルの投入口に飲料水缶やペットボトルを投入する投入具。
【請求項５】
飲料水缶の箱の上蓋をあけて挿入できる断面が長方形の筒状の箱の飲料水缶やペットボトルを止める長方形の前後に動く缶止板の方が低くなるように反対の底板の下面に投入具後部底板支柱板を付けた飲料水缶やペットボトルの自動販売機の飲料水缶やペットボトルの投入口に飲料水缶やペットボトルを投入する投入具。
【請求項６】
飲料水缶の箱の上蓋をあけて挿入できる断面が長方形の筒状の箱が先端部で飲料水缶が一列で通るように小さく、飲料水缶やペットボトルを止める長方形の前後に動く缶止板がある投入具の飲料水缶やペットボトルの投入口に乗せ掛け板を飲料水缶やペットボトルの高さ応じて出せるように乗せ掛け板の下や横に乗せ掛け補助板をつけた飲料水缶やペットボトルの自動販売機の飲料水缶やペットボトルの投入口に飲料水缶やペットボトルを投入する投入具。
【請求項７】
飲料水缶の箱の上蓋をあけて挿入できる断面が長方形の筒状の箱が先端部で飲料水缶が一列で通るように小さく、長方形の前後に動く缶止板がある投入具の左右側板に握り手を付けた飲料水缶やペットボトルの自動販売機の飲料水缶やペットボトルの投入口に飲料水缶やペットボトルを投入する投入具。
【請求項８】
飲料水缶の箱の上蓋をあけて挿入できる断面が長方形の筒状の箱が先端部で飲料水缶が一列で通るように小さくしたものの上部の筒状の部分を取り除き断面がＵ字形にした飲料水缶やペットボトルの自動販売機の飲料水缶やペットボトルの投入口に飲料水缶やペットボトルを投入する投入具。
【請求項９】
飲料水缶の箱の上蓋をあけて挿入できる断面が長方形の筒状の箱が先端部で飲料水缶が一列で通るように小さく、長方形の前後に動く缶止板がある投入具の後部の側板と箱中缶仕切板に後部缶止板を開閉するように付けた飲料水缶やペットボトルの自動販売機の飲料水缶やペットボトルの投入口に飲料水缶やペットボトルを投入する投入具。
【発明の詳細な説明】
【技術分野】
【０００１】
本発明は、自動販売機の飲料水缶やペットボトルの投入口に飲料水缶やペットボトルを入れる投入具に関するものである。
【背景技術】
【０００２】
【特許文献７】特開平１１−１１４７１
【先行技術文献】
【特許文献】
【０００３】
【特許文献１】特開２００２−３１２８３９
【特許文献２】特開２００３−２５２３８８
【特許文献３】特開２００３−２２８７５３
【特許文献４】特開２００５−３３８９１０
【特許文献５】特開平４−１１５３９２
【特許文献６】特開平６−２７４７５０
【特許文献７】特開平１１−１１４７１
【特許文献８】特開２０１０−１０２６７２
【特許文献９】登録実用新案第３１５５１６３号
【発明の概要】
【発明が解決しようとする課題】
【０００４】
従来は、飲料水缶やペットボトルを手で1本1本を自動販売機の飲料水缶やペットボトルの投入口に入れている。飲料水缶やペットボトルを手で1本ずつ自動販売機の投入口に入れるので時間がかかる。飲料水缶やペットボトルを手で1本ずつ持ち上げて自動販売機の投入口に入れるので労力がかかる。また、数本の場合は、いろいろな種類の缶を籠に入れて持ち運ぶので、缶の太さ、缶の高さ、飲料水の種類を考え投入することも大変である。本発明は、以上の欠点を解決するためになされたものである。
【課題を解決するための手段】
【０００５】
上記の問題点を解決するために，本発明は、自動販売機の飲料水缶やペットボトル投入口に飲料水缶やペットボトルを手で1本ずつ入れるのではなく、数本や１箱の本数の飲料水缶やペットボトルを自動販売機の飲料水缶やペットボトル投入口に投入するのである。飲料水缶の箱の上蓋をあけて挿入できる断面が長方形の筒状の箱の投入具に入れる。飲料水缶の箱の上蓋をあけて挿入できる断面が長方形の筒状の投入具は、筒状の先端に行くしたがって飲料水缶が一列で移動するように小さくして、自動販売機の飲料水缶投入口の高さぐらいの大きさにする。飲料水缶の箱の上蓋をあけて挿入できる断面が長方形の筒状の先端部に飲料水缶やペットボトルを止める長方形の缶止板を底板に前後に動くように付ける。飲料水缶の箱の上蓋をあけて挿入できる断面が長方形の筒状の投入具の後方を持ち上げて傾斜をつけて飲料水缶の長方形の缶止板を前方に倒すと缶やペットボトルが転げ落ちるようにする。この投入具の前方の底板を自動販売機の缶投入口に乗せ掛け板をつけて乗せ掛ける。
【０００６】
飲料水缶の箱の上蓋をあけて挿入できる断面が長方形の筒状の箱の底板に先端部より１番目の長方形の缶止板が回転するように蝶番等で固定し前後に動くようにする。長方形の前後に動く先端部より１番目の缶止板を底板の裏に後端部から先端部まで繋がった回転板回しボルトに付いた長方形の先端部より１番目の回転板で垂直に立てる。回転板回しボルトに付いた長方形の回転板を回転させると長方形の前後に動く缶止板が前方に倒れる。長方形の前後に動く缶止板が前方に倒れると缶やペットボトルが転げ落ちるようにする。
【０００７】
飲料水缶の箱の上蓋をあけて挿入できる断面が長方形の筒状の投入具に缶やペットボトルの高さに応じて飲料水缶の箱の上蓋をあけて挿入できる断面が長方形の筒状の中に左右に移動する箱中仕切板を付ける。飲料水缶の高さに応じて箱中仕切板を固定するために箱中仕切板の先端部の上下と後部の上部に留具を付けて固定する。
【０００８】
飲料水缶やペットボトルを１本ずつ自動販売機の缶投入口に入れるために飲料水缶の箱の上蓋をあけて挿入できる断面が長方形の筒状の投入具の底板部に先端部より１番目の缶止板から缶の太さの大きいものの太さの幅のところに前後に動く長方形の先端部より２番目缶止板を附ける。この長方形の先端部より２番目の缶止板の少し前の底板に回転板回しボルトの長方形の先端部より２番目の回転板が回転する幅に穴をあける。また、先端部より１番目の回転板が回転する幅にも穴をあける。この先端部より２番目の缶止板の高さを先端部に小さな飲料水缶の後部に触れない幅にする。先端部より１番目の回転板と先端部より２番目の回転板を回転板回しボルトに直角に付ける。回転板回しボルトを９０度回転すると長方形の先端部より１番目の回転板が底板の下方に隠れるので先端部より１番目の缶止板が前方に倒れて缶が１本転げ落ち、先端部より２番目の回転板が先端部より２番目の缶止板を垂直に起こすので、後方の缶が止められる。また、元の方に回転板回しボルトを回転すると長方形の先端部より１番目の回転板が先端の缶止板を垂直に立てると先端部より２番目の回転板が底板の下方に隠れるので先端部より２番目の缶止板が前方に倒れて、後方の缶が前に転がり先端部より１番目の缶止板で止まる。回転板回しボルトを１８０度回転すると先端部より１番目の回転板と先端部より２番目の回転板が底板の下方に隠れるので、先端部より１番目の缶止板と先端部より２番目の缶止板が前方に倒れるので箱の中の飲料水缶が連続して転げ落ちるので自動販売機の飲料水缶投入口に連続投入できる。
【０００９】
回転板回しボルトを１８０度回転すると先端部より１番目の回転板と先端部より２番目の回転板が底板の下方に隠れるので、先端部より１番目の缶止板と先端部より２番目の缶止板が前方に倒れるので箱の中の飲料水缶が連続して転げ落ちる。飲料水缶を連続して投入したときに、缶持ち上げ板の上にある缶は、缶持ち上げ板を缶持ち上げ板ワイヤーの引き手を引くと飲料水缶を持ち上げて投入具を投入口より離すと飲料水缶をいっぱい投入して投入を終えることができる。
【００１０】
飲料水缶の箱の上蓋をあけて挿入できる断面が長方形の筒状の投入具は、筒状の先端に行くしたがって飲料水缶が一列で移動するように小さくして、自動販売機の飲料水缶投入口の高さぐらいの大きさにする。飲料水缶の通る筒状の部分は飲料水缶の太さに応じて高さ変えるようにする。太い飲料水缶の大きさの通路で固定して、その下に缶太さに応じて調整板を磁石等で付着させ、また、天板を上下させて、太さの小さな缶の通路を作る。
【００１１】
飲料水缶の箱の上蓋をあけて挿入できる断面が長方形の筒状の投入具の底板部に缶止板が底板を基点に前後に回転するようにつけて、底面が平になるように長方形の前後に動く缶止板の前の自動販売機の缶投入口の乗せ掛ける部分を長方形の前後に動く缶止板と缶持ち上げ板の厚さだけ下になるよう下げて底面を平らにして、飲料水缶やペットボトルが転げ落ちやすいようにする。
【００１２】
飲料水缶の通る飲料水缶の箱の上蓋をあけて挿入できる断面が長方形の筒状の箱の側辺の長さの長方形の箱中缶仕切板を飲料水缶の通る飲料水缶の箱の上蓋をあけて挿入できる断面が長方形の筒状の箱の中につける。飲料水缶の通る飲料水缶の箱の上蓋をあけて挿入できる断面が長方形の筒状の箱の箱中缶仕切板は、飲料水缶の通る飲料水缶の箱の上蓋をあけて挿入できる断面が長方形の筒状の箱の長方形の缶止板の後方の一辺を横に移動する溝やボルトをつける。この飲料水缶の通る飲料水缶の箱の上蓋をあけて挿入できる断面が長方形の筒状の箱の箱中缶仕切板の下面に数本の箱中缶仕切板に支柱をつけ、この箱中缶仕切板支柱が底板の通路溝を移動できるように側辺に直角に通路をつけ、箱中缶仕切板が底板の通路溝から持ち上がらないようにする。この箱中缶仕切板が缶の高さに応じて調節後に底板を横に移動しないように留具を付ける。飲料水缶の通る飲料水缶の箱の上蓋をあけて挿入できる断面が長方形の筒状の箱の箱中缶仕切板が左右に移動することができるので側板と箱中缶仕切板の横幅を調節することができるので、いろいろな高さの違う飲料水缶を缶投入具に入れて自動販売機の飲料水缶やペットボトルの投入口に投入することができる。
【００１３】
飲料水缶の通る飲料水缶の箱の上蓋をあけて挿入できる断面が長方形の筒状の投入具の先端部より１番目の缶止板の方が低くなるように、投入具の後部の底板の下面に自動販売機投入口乗せ掛け止板より高い投入具後部底板支柱板を付けると飲料水缶やペットボトルが長方形の先端部より１番目の缶止板の方に転げるようにすると缶やペットボトルが投入しやすい。
【００１４】
飲料水缶の通る飲料水缶の箱の上蓋をあけて挿入できる断面が長方形の筒状の投入具の自動販売機の飲料水缶やペットボトルの投入口に乗せ掛け板を飲料水缶やペットボトルの高さに応じて出せるように乗せ掛け板の下や横に収納して乗せ掛け補助板を数本つけるようにする。最初から乗せ掛け板を広くしておくと高さの低い飲料水缶は飲料水自動販売機缶の缶投入口に乗せ掛けられないので飲料水缶が投入できない。
【００１５】
飲料水缶の通る飲料水缶の箱の上蓋をあけて挿入できる断面が長方形の筒状の先端に飲料水缶やペットボトルを止める長方形の缶止板がある投入具の両側板に握り手を付けて飲料水缶やペットボトルを投入する投入具を自動販売機の飲料水缶やペットボトルの投入口まで持ち上げやすいようにする。
【００１６】
飲料水缶の箱の上蓋をあけて挿入できる断面が長方形の筒状の投入具の側板の後部の一部と箱中缶仕切板の後部一部の横幅が広い方が缶を投入しやすく早く投入できる。
【００１７】
数本の飲料水缶やペットボトルを投入するときは、飲料水缶やペットボトルの投入具の後方より飲料水缶やペットボトルが転げ落ちないように一方の側板と箱中缶仕切板に後部缶止板を取り付けて、この後部缶止板を左右に開くようにする。側板と後部缶止板が直角になるように左右に後部缶止板止をつける。飲料水缶やペットボトルの高さにより側板と箱中缶仕切板の横幅を調節しても、飲料水缶やペットボトルの先端部と後端部を後部左缶止板と後部右缶止板で支えているので後方に転げ落ちない。
【発明の効果】
【００１８】
飲料水の缶やペットボトルを手で1本ずつ入れるのではなく，数本や１箱の本数の飲料水缶やペットボトルを飲料水箱の上蓋をあけて挿入できる飲料水缶の箱の上蓋をあけて挿入できる断面が長方形の筒状の投入具に入れ、自動販売機の投入口に乗せ掛け板を乗せ掛けて飲料水缶やペットボトルの投入具の後方を持ち上げると、飲料水缶やペットボトルが長方形の先端部より１番目の缶
止板で止まる。先端部より１番目の回転板と先端部より２番目の回転板を回転板回しボルトに直角についているので、回転板回しボルトを９０度回転すると長方形の先端部より１番目の回転板が底板の下方に隠れるので先端部より１番目の缶止板が前方に倒れて飲料水缶が１本転げ落ち、先端部より２番目の回転板が先端部より２番目の缶止板を垂直に立てるので、後方の缶が止められる。また、元の方に回転板回しボルトを回転すると長方形の先端部より１番目の回転板が先端部より１番目の缶止板を垂直に立てると先端部より２番目の回転板が底板の下方に隠れるので先端部より２番目の缶止板が前方に倒れて、後方の缶が前に転がり先端部より１番目の缶止板で止まる。これを繰り返すと飲料水缶を１本ずつ自動販売機の飲料水投入口に投入することができる。また、回転板回しボルトを１８０度回転して固定すると先端部より１番目の回転板と先端部より２番目の回転板が底板の下方に隠れるので、先端部より１番目の缶止板と先端部より２番目の缶止板が前方に倒れて、箱の中の飲料水缶が連続して転げ落ちる。飲料水缶を連続して投入したときに、缶持ち上げ板の上にある缶は、缶持ち上げ板の缶持ち上げ板ワイヤーの引き手を引くと飲料水缶を持ち上げて投入具を下ろすといっぱい投入することができる。飲料水缶の太さに応じて、飲料水缶の通る筒状の天板の部分の高さ変たり、飲料水缶の高さに応じて、箱中缶仕切板が左右に移動するので側板の横幅を調節することができるので高さの違ういろいろな飲料水缶を缶投入具に入れて自動販売機の飲料水缶やペットボトルの投入口に投入することができる。飲料水缶やペットボトルの重さで長方形の缶止板が前方に倒れて飲料水缶やペットボトルが転げ落ちて自動販売機の缶投入口に投入されるので時間がかからない。また、短時間で投入が終わるので労力がかからない。
【図面の簡単な説明】
【００１９】
【図１】本発明の斜視図である。
【図２】本発明の底板の上面の正面図である。
【図３】本発明の箱中缶仕切板の側面図である。
【図４】本発明の投入口の正面図である。
【図５】本発明の箱中缶仕切板の後部正面図である。
【図６】本発明の投入口の缶止板裏面正面図である。
【図７】本発明の後部缶止板の斜視図である。
【図８】本発明の缶太さ調節板の側面図である。
【図９】本発明の缶太さ調節板の上面の正面図である。
【発明を実施するための形態】
【００２０】
飲料水缶の箱の上蓋をあけて挿入できる断面が長方形の筒状の箱の投入具は、筒状の入り口は飲料水缶の箱の大きさで先端に行くしたがって飲料水缶が一列で移動するように小さくする。飲料水缶の箱の上蓋をあけて挿入できる断面が長方形の筒状の先端部に飲料水缶やペットボトルを止める長方形の缶止板を底板の表面に前後に回転するようにつける。飲料水缶の箱の上蓋をあけて挿入できる断面が長方形の筒状の投入具の飲料水缶の長方形の缶止板を底板の裏に後端部から先端部まで繋がった回転板回しボルトに付いた長方形の先端部の回転板で垂直に立てる。回転板が回転する幅に底板に穴をあける。回転板回しボルトに付いた長方形の回転板を回転して底板の下方に隠れるので長方形の前後に動く缶止板が前方に倒れる。長方形の前後に動く缶止板が前方に倒れると缶やペットボトルが転げ落ちるようにする。前方に倒すと缶やペットボトルが転げ落ちるようにする。この投入具の前方の底板を自動販売機の缶投入口に乗せ掛け板をつけて乗せ掛ける。
【００２１】
飲料水缶の箱の上蓋をあけて挿入できる断面が長方形の筒状の箱の底板の表面に先端部より１番目の缶止板が回転するように蝶番等で固定し前後に動くようにする。長方形の前後に動く先端部より１番目の缶止板を底板の裏に後端部から先端部まで繋がった回転板回しボルトに付いた長方形の先端部より１番目の回転板で垂直に立てる。回転板が回転する幅に底板に穴をあける。回転板回しボルトに付いた長方形の回転板を回転して底板の下方に隠れるので長方形の前後に動く缶止板が前方に倒れる。長方形の前後に動く缶止板が前方に倒れると缶やペットボトルが転げ落ちるようにする。
【００２２】
飲料水缶の箱の上蓋をあけて挿入できる断面が長方形の筒状の投入具に缶やペットボトルの高さに応じて飲料水缶の箱の上蓋をあけて挿入できる断面が長方形の筒状の中に側板の長さで側板の形の左右に移動する箱中仕切板を付ける。箱中缶仕切板は、左側板と右側板の上部にある箱中缶仕切り板移動棒を箱中缶仕切板の上にある箱中缶仕切り板導管で移動させる。これにより側板の幅を飲料水缶の高さに応じて調整する。箱中仕切板を固定するために箱中仕切板の先端部の上部と下部、後部の上部に留具を付けて固定する。
【００２３】
飲料水缶やペットボトルを１本ずつ自動販売機の缶投入口に入れるために
飲料水缶の箱の上蓋をあけて挿入できる断面が長方形の筒状の投入具の底板の表面に先端部より１番目の缶止板から缶の太さの大きいものの太さの幅のところに前後に動く長方形の先端部より２番目の缶止板を附ける。この長方形の先端部より２番目の缶止板の少し前の底板に回転板回しボルトの長方形の先端部より２番目の回転板が回転する幅に穴をあける。また、先端部より１番目の回転板が回転する幅にも穴をあける。この先端部より２番目の缶止板の高さを先端部の小さな飲料水缶の後部に触れない幅にする。先端部より１番目の回転板と先端部より２番目の回転板を回転板回しボルトに直角に付ける。回転板回しボルトを９０度回転すると長方形の先端部より１番目の回転板が底板の下方に隠れるので先端部より１番目の缶止板が前方に倒れて缶が１本転げ落ち、先端部より２番目の回転板が先端部より２番目の缶止板を垂直に起こすので後方の缶が止められる。また、元の方に回転板回しボルトを回転すると長方形の先端部より１番目の回転板が先端部より１番目の缶止板を垂直に立てると先端部より２番目の回転板が底板の下方に隠れるので先端部より２番目の缶止板が前方に倒れて、後方の缶が前に転がり先端部より１番目の缶止板で止まる。回転板回しボルトを１８０度回転すると先端部より１番目の回転板と先端部より２番目の回転板が底板の下方に隠れるので、先端部より１番目の缶止板と先端部より２番目の缶止板が前方に倒れるので箱の中の飲料水缶が連続して転げ落ちる。
【００２４】
飲料水缶を連続して投入したときに、投入具の乗せ掛け板の上の先端部の缶持ち上げ板の上にある缶は、缶持ち上げ板を缶持ち上げ板ワイヤーの引き手を引くと飲料水缶を持ち上げて投入具を下ろすと飲料水缶をいっぱい投入して飲料水缶が落下することがない。缶持ち上げ板を上部と下部に分けて蝶番でつなぎ上部の缶持上げに板の側辺に缶持ち上げ板ワイヤーの引き手をつなぐ。缶持ち上げ板を上部と下部に分けて蝶番でつないでおくと飲料水缶を持ち上げやすい。
【００２５】
飲料水缶の箱の上蓋をあけて挿入できる断面が長方形の筒状の投入具は、筒状の先端に行くしたがって飲料水缶が一列で移動するように小さくする。飲料水缶の通る筒状の部分は飲料水缶の太さに応じて高さ変える缶ペットボトル通路上板を太い飲料水缶の大きさの通路で固定して、その下に缶太さに応じて缶太さ調整板を磁石等で付着させて、太さの小さな缶の通路を作る。
【００２６】
飲料水缶の箱の上蓋をあけて挿入できる断面が長方形の筒状の投入具の底板の表面の缶止板が底板の表面を基点に前後に回転するようにつけて、底面が平になるように長方形の前後に動く缶止板の前の自動販売機の缶投入口の乗せ掛ける部分を長方形の前後に動く缶止板と缶持ち上げ板の厚さだけ下になるよう下げて底面を平らにして、飲料水缶やペットボトルが転げ落ちやすいようにする。
【００２７】
飲料水缶の通る飲料水缶の箱の上蓋をあけて挿入できる断面が長方形の筒状の投入具の先端部より１番目の缶止板の方が低くなるように、投入具の後部の底板の下面に自動販売機投入口乗せ掛け止板より高い投入具後部底板支柱板を付けると飲料水缶やペットボトルが長方形の先端部より１番目の缶止板の方に転げるようにすると缶やペットボトルが投入しやすい。
【００２８】
飲料水缶の通る飲料水缶の箱の上蓋をあけて挿入できる断面が長方形の筒状の投入具の自動販売機の飲料水缶やペットボトルの投入口に乗せ掛け板を飲料水缶やペットボトルの高さに応じて出せるように乗せ掛け板の下や横に収納して乗せ掛け補助板を数本つけるようにする。最初から乗せ掛け板を広くしておくと高さの低い飲料水缶は飲料水自動販売機の缶投入口に乗せ掛けられないので飲料水缶が投入できない。
【００２９】
飲料水缶の通る飲料水缶の箱の上蓋をあけて挿入できる断面が長方形の筒状の先端に飲料水缶やペットボトルを止める長方形の缶止板がある投入具の両側板に握り手を付けて飲料水缶やペットボトルを投入する投入具を自動販売機の飲料水缶やペットボトルの投入口まで持ち上げやすいようにする。
【００３０】
数本の飲料水缶やペットボトルを投入するときは、飲料水缶やペットボトルの投入具の後方より飲料水缶やペットボトルが転げ落ちないように最後部の左側板と箱中缶仕切板に後部左缶止板と左側板に後部右缶止板を付けて、左側板や箱中缶仕切板に対して直角に開くようにする。飲料水缶やペットボトルの高さ変化により左側板と箱中缶仕切板を調節しても、飲料水缶やペットボトルの先端部と後端部を後部左缶止板と後部右缶止板で支える。
【実施例】
【００３１】
飲料水缶やペットボトルの箱を図１の飲料水缶の箱の上蓋をあけて挿入できる断面が長方形の筒状の投入具に入れる。図1の飲料水缶の箱の上蓋をあけて挿入できる断面が長方形の筒状の投入具は、筒状の入り口は飲料水缶の箱の大きさで先端に行くしたがって飲料水缶が一列で移動するように小さくする。飲料水缶の箱の上蓋をあけて挿入できる断面が長方形の筒状の先端部に飲料水缶やペットボトルを止める長方形の先端部より１番目の缶止板３３を底板に前後に回転するように先端部より１番目の缶止板蝶番２８をつける。飲料水缶の箱の上蓋をあけて挿入できる断面が長方形の筒状の投入具の左側板握２と右側板握１４を持って、後方を持ち上げて傾斜をつけて飲料水缶の長方形の先端部より１番目の缶止板３３を前方に倒すと缶やペットボトルが転げ落ちる。この投入具の左側板握２と右側板握１４を持って前方の底板を缶投入口に乗せ掛け板１０を乗せ掛けて飲料水缶を投入する。
【００３２】
飲料水缶の入った飲料水缶の箱の上蓋をあけて挿入できる断面が長方形の筒状の箱の底板に先端部より１番目の缶止板３３が回転するように先端部より１番目の缶止板蝶番２８等で固定し前後に動くようにする。長方形の前後に動く先端部より１番目の缶止板３３を底板の裏に後端部から先端部まで繋がった回転板回しボルト６３に付いた長方形の先端部より１番目の回転板２９で垂直に立てる。回転板が回転する幅に底板に先端部より１番目の回転板通路３１の穴をあける。回転板回しボルト６３に付いた長方形の先端部より１番目の回転板２９を回転して底板の下方に隠れるので長方形の前後に動く先端部より１番目の缶止板３３が前方に倒れる。長方形の前後に動く先端部より１番目の缶止板３３が前方に倒れると缶やペットボトルが転げ落ちるようにする。
【００３３】
図1の飲料水缶の箱の上蓋をあけて挿入できる断面が長方形の筒状の投入具に缶やペットボトルの高さに応じて飲料水缶の箱の上蓋をあけて挿入できる断面が長方形の筒状の中に左右に移動する箱中仕切板２１を付ける。箱中缶仕切板２１は、左側板２と右側板１４の上部にある箱中缶仕切り板移動棒１９を箱中缶仕切板２１の上にある箱中缶仕切り板移導管２０で移動させる。これにより左側板６と箱中缶仕切板２１の間の幅を飲料水缶の高さに応じて調整する。箱中仕切板２１を固定するために箱中仕切板２１の先端部の上下と後部の上部に図５図６の箱中仕切板前下留具４０、箱中仕切板前上留具４３,箱中缶仕切板後部留具５１を付けて固定する。
【００３４】
飲料水缶やペットボトルを１本ずつ自動販売機の缶投入口に入れるために
図１の飲料水缶の箱の上蓋をあけて挿入できる断面が長方形の筒状の投入具の底板部に先端部より１番目の缶止板３３から缶の太さの大きいものの太さの幅のところに前後に動く長方形の先端部より２番目の缶止板３４を附ける。この長方形の先端部より２番目の缶止板３４の少し前の底板に回転板回しボルト６３の長方形の先端部より２番目の回転板２７が回転する先端部より２番目の回転板通路３０の幅に穴をあける。また、先端部より１番目の回転板２９が回転する先端部より１番目の回転板通路３１の幅にも穴をあける。この先端部より２番目の缶止板３４の高さを先端部の小さな飲料水缶の後部に触れない幅にする。先端部より１番目の回転板２９と先端部より２番目の回転板２７を回転板回しボルト６３に直角に付ける。回転板回しボルト６３を９０度回転すると長方形の先端部より１番目の回転板２９が底板の下方に隠れるので先端部より１番目の缶止板３３が前方に倒れて缶が１本転げ落ち、先端部より２番目の回転板２７が先端部より２番目の缶止板３４を垂直に起こすので、後方の缶が止められる。また、元の方に回転板回しボルト６３を回転すると長方形の先端部より１番目の回転板２９が先端部より１番目の缶止板３３を垂直に立てると先端部より２番目の回転板２７が底板の下方に隠れるので先端部より２番目の缶止板３４が前方に倒れて、後方の缶が前に転がり先端部より１番目の缶止板３３で止まる。回転板回しボルト６３を１８０度回転すると先端部より１番目の回転板２９と先端部より２番目の回転板２７が底板の下方に隠れるので、先端部より１番目の缶止板３３と先端部より２番目の缶止板３４が前方に倒れるので箱の中の飲料水缶が連続して転げ落ちる。
【００３５】
飲料水缶を連続して投入したときに、投入具の乗せ掛け板１０の上の先端部の缶持ち上げ板１３の上にある缶は、缶持ち上げ板１３を缶持ち上げ板ワイヤーの引き手３を引くと飲料水缶を持ち上げて投入具を下ろすと飲料水缶をいっぱい投入して飲料水缶が落下することがない。缶持ち上げ板１３を上部と下部に分けて缶持ち上げ板蝶番８でつなぎ上部の缶持上げに板１３の側辺に缶持ち上げ板ワイヤー穴７をあけ、缶持ち上げ板ワイヤー４をつなぐ。缶持ち上げ板１３を上部と下部に分けて缶持ち上げ板蝶番８でつないでおくと飲料水缶を持ち上げやすい。
【００３６】
図１の飲料水缶の箱の入り口の飲料水缶の箱の上蓋をあけて挿入できる断面が長方形の筒状の投入具は、筒状の先端に行くしたがって飲料水缶が一列で移動するように小さくする。飲料水缶の通る筒状の部分は飲料水缶の太さに応じて高さ変える缶ペットボトル通路上板５８を太い飲料水缶の大きさの通路で固定して、その下に缶太さに応じて缶太さ調整板６０を図８の磁石５９,６１等で付着させて、太さの小さな缶の通路を作る。
【００３７】
飲料水缶の箱の上蓋をあけて挿入できる断面が長方形の筒状の投入具の底板部に先端部より１番目の缶止板３３が底板を基点に前後に回転するようにつけて、底面が平になるように長方形の前後に動く先端部より１番目の缶止板３３の前の自動販売機の缶投入口の乗せ掛ける部分を長方形の前後に動く先端部より１番目の缶止板３３と缶持ち上げ板１３の厚さだけ下になるよう下げて底面を平らにして、飲料水缶やペットボトルが転げ落ちやすいようにする。  
【００３８】
飲料水缶の通る飲料水缶の箱の上蓋をあけて挿入できる断面が長方形の筒状の投入具の先端部より１番目の缶止板３３の方が低くなるように、投入具の後部の底板の下面に自動販売機投入口乗せ掛け止板９より高い投入具後部底板支柱板１を付けると飲料水缶やペットボトルが長方形の先端部より１番目の缶止板３３の方に転げるようにすると缶やペットボトルが投入しやすい。
【００３９】
飲料水缶の箱の上蓋をあけて挿入できる断面が長方形の筒状の投入具の自動販売機の飲料水缶やペットボトルの投入口に乗せ掛け板１０を飲料水缶やペットボトルの高さに応じて出せるように乗せ掛け板の下や横に収納して乗せ掛け補助板１１を数本つけるようにする。最初から乗せ掛け板１０を広くしておくと高さの低い飲料水缶は飲料水自動販売機の缶投入口に乗せ掛けられないので飲料水缶が投入できない。
【００４０】
飲料水缶の箱の上蓋をあけて挿入できる断面が長方形の筒状の先端に飲料水缶やペットボトルを止める長方形の先端部より１番目の缶止板３３がある投入具の両側板に図１左側板握２と右側板握１５を付けて飲料水缶やペットボトルを投入する投入具を自動販売機の飲料水缶やペットボトルの投入口まで持ち上げやすいようにする。
【００４１】
数本の飲料水缶やペットボトルを投入するときは、飲料水缶やペットボトルの投入具の後方より飲料水缶やペットボトルが転げ落ちないように最後部の図１左側板６と箱中缶仕切板２１に後部左缶止板２４と後部右缶止板２２を付けて、左側板６や箱中缶仕切板２１に対して直角に開くようにする。飲料水缶やペットボトルの高さ変化により左側板と箱中缶仕切板を調節しても、飲料水缶やペットボトルの先端部と後端部を後部左缶止板２４と後部右缶止板２２で支える。
【産業上の利用可能性】
【００４２】
飲料水缶やペットボトルのどんな太さやどんな高さのものでも自動販売機の飲料水缶やペットボトルの投入口に容易に投入できる。また、数本から１箱の本数でも短時間に自動販売機の飲料水缶やペットボトルの投入口に投入できるので労力もかからない。そのため自動販売機のドアを開けておく時間が短いので、冷気や暖気が逃げる時間が少なく省ネルギーである。また、交通の障害や缶購入者が待つ時間が少なく自動販売機を使用できるので不便を避けることができる。
【符号の説明】
【００４３】
１  投入具後部底板支持板
２  左側板握
３  缶持ち上げ板ワィヤー引き手
４  缶持ち上げ板ワイヤー
５  缶持ち上げ板ワイヤー通路管      
６  左側板
７  缶持ち上げ板ワイヤー穴
８  缶持ち上げ板蝶番
９  乗せ掛け板止板
１０  乗せ掛け板
１１  乗せ掛け補助板
１２  長缶乗せ掛け補助板
１３  缶持ち上げ板
１４  右側板握
１５  右側板
１６  前箱中缶仕切板導管
１７  中央箱中缶仕切板移動棒
１８  缶ペットボトル誘導斜面板
１９  後部箱中缶仕切板移動棒
２０  後部箱中缶仕切板導管
２１  箱中缶仕切板
２２  後部右缶止板
２３  後部右缶止板蝶番
２４  後部左缶止板
２５  後部左缶止板蝶番
２６  先端部より２番目の缶止板蝶番
２７  先端部より２番目の回転板
２８  先端部より１番目の缶止板蝶番
２９  先端部より１番目の回転板
３０  先端部より２番目の回転板通路
３１  先端部より１番目の回転板通路
３２  長缶乗せ掛け補助板通路
３３  先端部より１番目の缶止板
３４  先端部より２番目の缶止板
３５  底板
３６  回転板回しボルト握
３７  ボルト握り止
３８  中央中箱館仕切板導管
３９  箱中缶仕切板前下留具ネジ
４０  箱中缶仕切板前下留具
４１  箱中缶仕切板前下留具ツマミ  
４２  箱中缶仕切板前上留具ツマミ
４３  箱中缶仕切板前上留具
４４  箱中缶仕切板後部上留具ツマミ
４５  箱中缶仕切板後部上留具
４６  箱中缶仕切板後部上留具ネジ
４７  箱中缶仕切板前上留具ネジ
４８  箱中缶仕切板前上留具溝
４９  箱中缶仕切板前下留具溝
５０  箱中缶仕切板後部留具溝
５１  箱中缶仕切板後部留具
５２  箱中缶仕切板後部留具ネジ
５３  缶ペットボトル通路
５４  缶太さ調整板
５５  前部箱中缶仕切板移動棒
５６  缶止板補助板通路押板
５７  缶止板補助板
５８  缶ペットボトル通路上板
５９  缶太さ調整板付着後磁石板
６０  缶太さ調整板
６１  缶太さ調整板付着前磁石板
６２  缶太さ調整板誘導板
６３  回転板回しボルト
【図１】
2012203749.tif 000003
【図２】
2012203749.tif 000004
【図３】
2012203749.tif 000005
【図４】
2012203749.tif 000006
【図５】
2012203749.tif 000007
【図６】
2012203749.tif 000008
【図７】
2012203749.tif 000009
【図８】
2012203749.tif 000010
【図９】
2012203749.tif 000011